(57)【要約】【課題】専用の音声合成部を別途設けることなく、回線制御部に対して回線電流を十分に供給し、回線制御部から外接電話へのメッセージ信号の送出を安定して行えるようにした通信装置を提供する。【解決手段】メッセージ再生時、ＣＰＵ１１１は、スイッチ１０８をオフし、スイッチ１０９とスイッチ１１０をオンする。これにより、外接電話１３０は待機電源部１０６に接続される。そのため、外接電話１３０は、待機電源部１０６から第２のＤＣ回線電流の供給を受け、正常に動作する。また、回線制御ＩＣ１０２は、電話回線１２０に接続されるとともに、第２の電路１１５を介して外接電話１３０に接続される。そのため、回線制御ＩＣ１０２は、電話回線１２０からの第１のＤＣ回線電流の供給を受け、ＡＣメッセージ信号を生成し、第２の電路１１５を介して外接電話１３０に送出する。よって、回線制御ＩＣ１０２は正常に動作する。【選択図】  図１
2009273092.tif 000002
【特許請求の範囲】
【請求項１】
電話回線に接続されるLINEコネクタと、
前記電話回線から前記LINEコネクタを介して入力される第１のＤＣ回線電流の供給を受ける電話機であって、通話時、受話器から入出力される音声信号を前記LINEコネクタを介して前記電話回線に送受信する電話機が接続されるTELコネクタと、
メッセージ再生時、前記第１のＤＣ回線電流の供給を受け、ＡＣのメッセージ信号を生成して、前記TELコネクタを介して前記電話機に送出する回線制御部と、を備え、
前記LINEコネクタと前記TELコネクタと前記回線制御部とを結ぶ第１の電路上を、前記通話時に前記音声信号が通過する通信装置において、
前記第１のＤＣ回線電流と同様の第２のＤＣ回線電流を生成し、前記TELコネクタを介して前記電話機に供給する電源部と、
前記第１の電路上に設けられるスイッチ回路であって、前記TELコネクタと前記LINEコネクタおよび前記回線制御部とを切り離して前記TELコネクタと前記電源部とを連結するスイッチ処理を実行する第１のスイッチ回路と、
前記TELコネクタと前記LINEコネクタおよび前記回線制御部とを結ぶ第２の電路上に設けられ、前記ＡＣのメッセージ信号を通過させるコンデンサと、を備え、
前記回線制御部は、
前記メッセージの再生が指示されると、前記スイッチ処理を実行するよう前記第１のスイッチ回路に指示するとともに、
前記第２の電路を介して前記ＡＣのメッセージ信号を前記電話機に送出し、そのメッセージ信号に基づくメッセージを前記電話機で再生させることを特徴とする通信装置。
【請求項２】
前記第２の電路上に、前記ＡＣのメッセージ信号を増幅する増幅器を設けたことを特徴とする請求項１に記載の通信装置。
【請求項３】
前記第２の電路をオンオフする第２のスイッチ回路を備え、
前記回線制御部は、前記メッセージの再生が指示されると、前記スイッチ処理を実行するよう前記第１のスイッチ回路に指示してから、前記第２の電路をオンするよう前記第２のスイッチ回路に指示することを特徴とする請求項１又は２に記載の通信装置。
【請求項４】
前記電話回線から送信されてくるファクシミリ信号であって前記LINEコネクタで受信されるファクシミリ信号に基づいて情報を紙媒体に印字する印字部と、
前記第２の電路をオンオフする第２のスイッチ回路と、を備え、
前記回線制御部は、前記ファクシミリ信号が前記LINEコネクタで受信されている間、前記スイッチ処理を実行するよう前記第１のスイッチ回路に指示するとともに、前記第２の電路をオフするよう前記第２のスイッチ回路に指示することを特徴とする請求項１又は２に記載の通信装置。
【請求項５】
前記回線制御部は、前記ファクシミリ信号の受信が開始する時、前記スイッチ処理を実行するよう前記第１のスイッチ回路に指示してから、前記第２の電路をオフするよう前記第２のスイッチ回路に指示することを特徴とする請求項４に記載の通信装置。
【請求項６】
前記回線制御部は、前記スイッチ処理を実行するよう前記第１のスイッチ回路に指示するための第１の指示信号と、前記第２の電路のオンオフを切替えるよう前記第２のスイッチ回路に指示するための第２の指示信号と、に分離される共通の指示信号を１本のピンから出力し、
分離された後の前記第２の指示信号の経路上に、前記第２の指示信号を遅延させるタイマ回路を備えたことを特徴とする請求項３又は５に記載の通信装置。
【発明の詳細な説明】
【技術分野】
【０００１】
本発明は、電話回線から入力される回線電流を用いて、装置本体に接続されている電話機からメッセージを再生する通信装置に関するものである。
【背景技術】
【０００２】
従来より、電話通話により送受信される音声信号の中継を行う通信装置が一般に広く普及している。近年では、電話回線から供給される回線電流を用いて、装置本体に接続されている電話機からメッセージを再生するメッセージ再生機能を有する通信装置が一般的である。以下、この機能を有する通信装置を代表してファクシミリ装置について説明する。
【０００３】
図５は、従来のファクシミリ装置の主要部の構成を示すブロック図である。ファクシミリ装置２００は、LINEコネクタ２０１と、回線制御ＩＣ２０２と、印字部２０３と、スキャナ２０４と、TELコネクタ２０５と、待機電源部２０６と、呼出電源部２０７と、電源切換え用のスイッチ２０８と、外接電話切替用のスイッチ２０９と、ＣＰＵ２１１と、を備える。
ファクシミリ装置２００は、ＦＡＸの送受信や電話通話により送受信される音声信号の中継を行う。この音声信号は、LINEコネクタ２０１とTELコネクタ２０５と回線制御ＩＣ２０２とを結ぶ第１の電路上を通話時に通過する。
【０００４】
また、ファクシミリ装置２００は、電話回線２２０から入力される回線電流を用いて、装置本体２００に接続されている外接電話２３０から音声メッセージを再生するメッセージ再生機能を有する。ここで、メッセージ再生時の動作について詳述する。
【０００５】
図６は、従来のファクシミリ装置の各動作モードにおける各部の状態一覧を示すテーブルである。メッセージ再生時Ｃでは、スイッチ２０８はオフ状態にあり（ｃ１）、スイッチ２０９もオフ状態にある（ｃ２）。このため、外接電話２３０は電話回線２２０に接続されるとともに（ｃ４）、回線制御ＩＣ２０２が電話回線２２０に接続される（ｃ５）。
回線制御ＩＣ２０２は、音声メッセージの内容を示すメッセージデータを記憶するメモリ２０２Ａを有する。回線制御ＩＣ２０２は、電話回線２２０からＬＩＮＥコネクタ２０１を介して入力される回線電流の供給を受け、メッセージデータに基づくメッセージ信号を生成して、ＴＥＬコネクタ２０５を介して外接電話２３０に送出する（ｃ７）。
【０００６】
この時、電話回線２２０からの回線電流は、回線制御ＩＣ２０２と外接電話２３０の両方に供給される（ｃ６）。しかし、この回線電流は微電流であり外接電話２３０の消費電流は大きい。そのため、電話回線２２０の電流供給能力と外接電話２３０のインピーダンスの関係によっては、回線制御ＩＣ２０２が十分な回線電流を確保できず、音声メッセージを送出できないことがあった。従って、従来の通信装置では、回線電流が不足して回線制御ＩＣ２０２から外接電話２３０へのメッセージ信号の送出が不安定になるという問題があった。
【０００７】
そこで、回線制御ＩＣ２０２に記憶されている音声メッセージを使用せずに、上記メッセージデータを記憶するメモリ２１０Ａを内蔵した専用の音声合成部２１０を設け、この音声合成部２１０から音声メッセージを外接電話２３０で再生する技術も考えられそうである。この技術を詳述すると、メッセージ再生時ｃｃ、ＣＰＵ２１１はスイッチ２０８をオフ状態にし（ｃｃ１）、スイッチ２０９をオン状態にする（ｃｃ２）。この状態では、電話回線２２０は回線制御ＩＣ２０２のみに接続し（ｃｃ６）、外接電話２３０は待機電源部１０６と音声合成部２１０に接続する（ｃｃ４）。これにより、外接電話２３０の回線電流は待機電源部１０６から供給され、音声メッセージは音声合成部２１０から外接電話２３０へ送出される（ｃｃ４）。
なお、特許文献１では、電話機のオフフックを検出する通信装置が提案されている。
【特許文献１】特開２００６−２０３３３２公報
【発明の開示】
【発明が解決しようとする課題】
【０００８】
しかしながら、回線制御ＩＣ２０２が音声メッセージ送出能力を持っているにもかかわらず、専用の音声合成部２１０が別途必要になる。これは、音声合成部２１０のための材料を用意したり、製造工程を組まなければならないことを意味し、製造コスト高や製造工程の複雑化の一因ともなってしまう。
【０００９】
本発明はこのような従来の課題を解決しようとするものであり、専用の音声合成部を別途設けることなく、回線制御部に対して回線電流を十分に供給し、回線制御部から外接電話へのメッセージ信号の送出を安定して行えるようにした通信装置を提供することを目的とする。
【課題を解決するための手段】
【００１０】
本発明の通信装置は、前記課題を解決するために以下の構成を備えている。
【００１１】
（１）電話回線に接続されるLINEコネクタと、
前記電話回線から前記LINEコネクタを介して入力される第１のＤＣ回線電流の供給を受ける電話機であって、通話時、受話器から入出力される音声信号を前記LINEコネクタを介して前記電話回線に送受信する電話機が接続されるTELコネクタと、
メッセージ再生時、前記第１のＤＣ回線電流の供給を受け、ＡＣのメッセージ信号を生成して、前記TELコネクタを介して前記電話機に送出する回線制御部と、を備え、
前記LINEコネクタと前記TELコネクタと前記回線制御部とを結ぶ第１の電路上を、前記通話時に前記音声信号が通過する通信装置において、
前記第１のＤＣ回線電流と同様の第２のＤＣ回線電流を生成し、前記TELコネクタを介して前記電話機に供給する電源部と、
前記第１の電路上に設けられるスイッチ回路であって、前記TELコネクタと前記LINEコネクタおよび前記回線制御部とを切り離して前記TELコネクタと前記電源部とを連結するスイッチ処理を実行する第１のスイッチ回路と、
前記TELコネクタと前記LINEコネクタおよび前記回線制御部とを結ぶ第２の電路上に設けられ、前記ＡＣのメッセージ信号を通過させるコンデンサと、を備え、
前記回線制御部は、
前記メッセージの再生が指示されると、前記スイッチ処理を実行するよう前記第１のスイッチ回路に指示するとともに、
前記第２の電路を介して前記ＡＣのメッセージ信号を前記電話機に送出し、そのメッセージ信号に基づくメッセージを前記電話機で再生させることを特徴とする。
【００１２】
この構成において、第１のスイッチ回路がオンされると、電話機は第１のスイッチ回路を介して電源部に接続される。そのため、電話機は、電源部から第２のＤＣ回線電流の供給を受け、正常に動作する。
さらに、回線制御部は、電話回線に接続されるとともに、第２の電路を介して電話機に接続される。そのため、回線制御部は、電話回線からＬＩＮＥコネクタを介して入力される第１のＤＣ回線電流の供給を受け、ＡＣメッセージ信号を生成し、第２の電路を介して電話機に送出する。これにより、ユーザは、音声メッセージを電話機で聴くことができる。この時、電話回線からの回線電流は、コンデンサで遮断されて電話機に供給されず、回線制御部に全て供給される。よって、回線制御部は正常に動作する。
従って、回線制御部から電話機へのメッセージ信号の送出を安定して行うことができる。
【００１３】
（２）前記第２の電路上に、前記ＡＣのメッセージ信号を増幅する増幅器を設けたことを特徴とする。
【００１４】
この構成では、再生される音声メッセージの音量が小さい場合、増幅器によってＡＣメッセージ信号を増幅し、音量を調整することができる。
【００１５】
（３）前記第２の電路をオンオフする第２のスイッチ回路を備え、
前記回線制御部は、前記メッセージの再生が指示されると、前記スイッチ処理を実行するよう前記第１のスイッチ回路に指示してから、前記第２の電路をオンするよう前記第２のスイッチ回路に指示することを特徴とする。
【００１６】
この構成において、第１のスイッチ回路、第２のスイッチ回路の切替えを同時に指示した場合、第２のスイッチ回路が先にオンされてから第１のスイッチ回路がオンされてしまうことがある。この場合、電話回線と電源部との電圧差および極性の違いにより、ＡＣメッセージ信号の経路上にノイズが発生するおそれがある。そこで、この構成では、第１のスイッチ回路をオン状態にしてから、第２のスイッチ回路をオン状態にする。これにより、電源部と電話機との電流経路が十分確立された後に、第２の電路がオンされる。そのため、切替時にＡＣメッセージ信号の経路上で発生するノイズを抑えることができる。また、小さなノイズはコンデンサで吸収される。
【００１７】
（４）前記電話回線から送信されてくるファクシミリ信号であって前記LINEコネクタで受信されるファクシミリ信号に基づいて情報を紙媒体に印字する印字部と、
前記第２の電路をオンオフする第２のスイッチ回路と、を備え、
前記回線制御部は、前記ファクシミリ信号が前記LINEコネクタで受信されている間、前記スイッチ処理を実行するよう前記第１のスイッチ回路に指示するとともに、前記第２の電路をオフするよう前記第２のスイッチ回路に指示することを特徴とする。
【００１８】
この構成により、ＦＡＸ通信時、電話機が電話回線から切り離されるので、電話機からファクシミリ信号の経路上に混入するノイズを防ぐことができる。よって、安定したＦＡＸ通信を行うことができる。
【００１９】
（５）前記回線制御部は、前記ファクシミリ信号の受信が開始する時、前記スイッチ処理を実行するよう前記第１のスイッチ回路に指示してから、前記第２の電路をオフするよう前記第２のスイッチ回路に指示することを特徴とする。
【００２０】
この構成において、第１のスイッチ回路、第２のスイッチ回路の切替えを同時に指示した場合、第２のスイッチ回路が先にオフされてしまうことがある。この場合、電話機から第２のスイッチ回路を介して、ファクシミリ信号の経路上にノイズが混入するおそれがある。そこで、この構成では、第１のスイッチ回路をオン状態にしてから、第２のスイッチ回路をオフ状態にする。これにより、電源部からの第２の回線電流が電話機に供給された後に、第２の電路がオフされる。そのため、電話機からファクシミリ信号の経路上に混入するノイズを防ぐことができる。よって、安定したＦＡＸ通信を行うことができる。
【００２１】
（６）前記回線制御部は、前記スイッチ処理を実行するよう前記第１のスイッチ回路に指示するための第１の指示信号と、前記第２の電路のオンオフを切替えるよう前記第２のスイッチ回路に指示するための第２の指示信号と、に分離される共通の指示信号を１本のピンから出力し、
分離された後の前記第２の指示信号の経路上に、前記第２の指示信号を遅延させるタイマ回路を備えたことを特徴とする。
【００２２】
回線制御部の出力ピンの数に限りがある場合、タイマ回路を設け、第１のスイッチ回路と第２のスイッチ回路とを共通の指示信号で切替えても構わない。この構成では、回線制御部から出力された共通の指示信号は、第１の指示信号と第２の指示信号とに分離される。そして、第１の指示信号は第１のスイッチ回路にそのまま入力されるが、第２の指示信号はタイマ回路で所定時間遅延された後に第２のスイッチ回路に入力される。
以上のような構成で、上記（３）における回線制御部は、第１のスイッチ回路をオン状態にしてから、第２のスイッチ回路をオン状態にする。又は、上記（５）における回線制御部は、第１のスイッチ回路をオン状態にしてから、第２のスイッチ回路をオフ状態にする。
【発明の効果】
【００２３】
この発明によれば、回線制御部から電話機へのメッセージ信号の送出を安定して行うことができる。
【発明を実施するための最良の形態】
【００２４】
以下、本発明の実施形態であるファクシミリ装置について説明する。
【００２５】
図１は、本発明の実施形態であるファクシミリ装置の主要部の構成を示すブロック図である。ファクシミリ装置１００は、LINEコネクタ１０１と、回線制御ＩＣ１０２と、印字部１０３と、スキャナ１０４と、TELコネクタ１０５と、待機電源部１０６と、呼出電源部１０７と、電源切換え用のスイッチ１０８と、外接電話切替用のスイッチ１０９と、スイッチ１０８〜１１０のオンオフを切替えるＣＰＵ１１１と、外接電話ＡＣ接続用のスイッチ１１０とコンデンサ１１３とアンプ１１４とが配置された第２の電路１１５と、操作部１１６と、を備える。LINEコネクタ１０１には電話回線１２０が接続され、TELコネクタ１０５は受話器が設けられた外接電話１３０と接続される。
【００２６】
ファクシミリ装置１００は、ＦＡＸの送受信や電話通話により送受信される音声信号の中継を行う。また、ファクシミリ装置１００は、相手方のファクシミリ装置と、電話回線１２０を介してＦＡＸの送受信を行う。また、ファクシミリ装置１００は、電話回線１２０から入力される第１のＤＣ回線電流を用いて、装置本体１００に接続されている外接電話１３０から音声メッセージを再生するメッセージ再生機能を有する。
【００２７】
回線制御ＩＣ１０２は、音声メッセージの内容を示すメッセージデータを記憶するメモリ１０２Ａを有する。回線制御ＩＣ１０２は、不図示の制御線を介してＣＰＵ１１１と通信し、装置本体各部の動作をモードに応じて制御する。
【００２８】
操作部１１６は、ユーザによる操作入力を受け付ける複数のキーが設けられている。複数のキーの中には、ＦＡＸ送信キー、メッセージの再生を受付けるメッセージ再生キー等がある。操作部１１６は、操作されたキーに応じた制御信号を回線制御ＩＣ１０２に伝送する。
【００２９】
ここで、回線制御ＩＣ１０２及びＣＰＵ１１１が、本発明の「制御部」に相当する。また、タイマＩＣ１１２が、本発明の「タイマ回路」に相当する。また、待機電源部１０６が、本発明の「電源部」に相当する。また、スイッチ１０９が、本発明の「第１のスイッチ回路」に相当する。また、スイッチ１１０が、本発明の「第２のスイッチ回路」に相当する。
【００３０】
図２は、本発明の実施形態であるファクシミリ装置の各動作モードにおける各部の状態一覧を示すテーブルである。
まず、待機モードＡまたは電話通話モードＡで動作する部分の構成について、図１、図２を用いて説明する。外接電話１３０の受話器から入力される音声信号は、ファクシミリ装置１００を介して相手方の電話機に送信される。これにより、ユーザは、相手方と外接電話１３０で通話できる。
この待機時Ａまたは電話通話時Ａでは、スイッチ１０８〜１１０はいずれもオフ状態にあり（Ａ１〜Ａ３）、外接電話１３０は電話回線１２０と直結する（Ａ４）。そのため、音声信号は、LINEコネクタ１０１とTELコネクタ１０５と回線制御ＩＣ１０２とを結ぶ第１の電路上を通過する。
【００３１】
また、待機時Ａまたは電話通話時Ａでは、回線制御ＩＣ１０２はクロックを下げてスリープモードになっており、消費電力量が少ない。そのため、この時の回線制御ＩＣ１０２は、内蔵のバッテリ（不図示）などの２次側からの電流供給を受け、第１のＤＣ回線電流を消費しない（Ａ５）。このため、外接電話１３０は、電話回線１２０からの第１のＤＣ回線電流を全て使用することになる（Ａ６）。よって、待機時Ａまたは電話通話時Ａにおける外接電話１３０と回線制御ＩＣ１０２は、正常に動作する。
【００３２】
次に、ＦＡＸ通信モードＢで動作する部分の構成について、図１、図２を用いて説明する。まずＦＡＸ送信時では、回線制御ＩＣ１０２が、内蔵するメモリ１０２Ａ内の画像データを変調する。この画像データは、スキャナ１０４で予め読取られて該メモリ１０２Ａに格納された画像データである。回線制御ＩＣ１０２は、LINEコネクタ１０１から、電話回線１２０を介して画像データを相手方のファクシミリ装置に送信する。
一方、ＦＡＸ受信時では、回線制御ＩＣ１０２は、LINEコネクタ１０１から入力されてくる信号に基づいて、ＦＡＸ受信の開始を示す呼出信号の有無を判断する。呼出信号とは、データ通信において送受信の同期をとるための信号である。そして、呼出信号があった場合、回線制御ＩＣ１０２は、まず、不図示の制御線を介してＣＰＵ１１１に通知する。次に、回線制御ＩＣ１０２は、相手方のファクシミリ装置から電話回線１２０を介して伝送されてくるファクシミリ信号（例えば画像データ）をLINEコネクタ１０１で受信する。この画像データは、回線制御ＩＣ１０２で復調され、印字部１０３に入力する。印字部１０３は、この画像データを（例えばランレングス符号で）復号し、復号したデータに基づいて紙媒体に印字する。
【００３３】
ＦＡＸ通信時ＢにおいてＣＰＵ１１１は、呼出信号が受信された旨の通知を受けると、スイッチ１０８をオフ状態にする（Ｂ１）。ここで、スイッチ１０９、１１０の切替えを同時に指示した場合、スイッチ１１０が先にオフされてしまうことがある。この場合、外接電話１３０からスイッチ１０９を介して、ファクシミリ信号の経路上にノイズが混入するおそれがある。そこで、ＣＰＵ１１１は、呼出信号が受信された旨の通知を受けると、スイッチ１０９をオン状態にしてから（Ｂ２）、スイッチ１１０をオフ状態にする（Ｂ３）。これにより、待機電源部１０６からの第２回線電流が外接電話１３０に十分供給された後に、第２の電路１１５がオフされる。そのため、外接電話１３０からファクシミリ信号の経路上に混入するノイズを防ぐことができる。よって、安定したＦＡＸ通信を行うことができる。また、ＣＰＵ１１１は、ファクシミリ信号がLINEコネクタ１０１で受信されている間、スイッチ１０９をオン状態に維持し（Ｂ２）、スイッチ１１０をオフ状態に維持する（Ｂ３）。これにより、ＦＡＸ通信時、外接電話１３０が電話回線１２０から切り離されるので、外接電話１３０からファクシミリ信号の経路上に混入するノイズを防ぐことができる。よって、安定したＦＡＸ通信を行うことができる。
【００３４】
また、ＦＡＸ通信時Ｂでは、回線制御ＩＣ１０２はＦＡＸ通信を行うために第１のＤＣ回線電流が必要となるが、電話回線１２０からの第１のＤＣ回線電流を全て使用できる（Ｂ６）。よって、ＦＡＸ通信時Ｂにおける回線制御ＩＣ１０２は、正常に動作する。
一方、外接電話１３０は、スイッチ１０８がオフでスイッチ１０９がオンされているので（Ｂ１、Ｂ２）、待機電源部１０６に接続される。待機電源部１０６は、第１のＤＣ回線電流と同様の第２のＤＣ回線電流（無負荷時電圧約５０Ｖ、短絡時電流約２０ｍＡ）を生成する。そして、待機電源部１０６は、第２のＤＣ回線電流をTELコネクタ１０５を介して外接電話１３０に供給する。よって、ＦＡＸ通信時Ｂにおける外接電話１３０は、正常に動作する。
【００３５】
また、待機電源部１０６は、電流量を検出することにより外接電話１３０のオフフックを検出し、回線制御ＩＣ１０２及びＣＰＵ１１１に通知するオフフック検出機能を有する。回線制御ＩＣ１０２は、オフフックの通知を受けると、ＦＡＸ通信モードＢから電話通話モードＡに遷移する。
【００３６】
なお、この実施形態では、外接電話１３０から電話回線１２０に混入するノイズを防ぐためにスイッチ１０９をオンしてスイッチ１１０をオフしているが（Ｂ２、Ｂ３）、実施の際は、待機電源部１０６による外接電話１３０への電流供給をＦＡＸ通信時Ｂに停止しても構わない。
【００３７】
次に、外接電話１３０の呼出モードＤで動作する部分の構成について、図１、図２を用いて説明する。外接電話１３０の呼出モードＤは、回線制御ＩＣ１０２で着呼した電話を外接電話１３０に転送し、外接電話１３０を鳴動させるモードである。
【００３８】
まず、電話を着呼すると、回線制御ＩＣ１０２は、着呼した電話を外接電話１３０に転送するとともに、電話の着呼があった旨をＣＰＵ１１１に通知する。これにより、ＣＰＵ１１１は、スイッチ１０９をオンし（Ｄ２）、スイッチ１１０をオフ状態にする（Ｄ３）。さらに、ＣＰＵ１１１は、スイッチ１０８のオンオフを交互に切り換える（Ｄ１）。これにより、外接電話１３０は、呼出電源部１０７と待機電源部１０６に交互に接続する（Ｄ４）。この結果、外接電話１３０に入力される回線電圧は、呼出電源部１０７の約-１００Ｖと待機電源部１０６の約５０Ｖとに変化し、これらが切り替わることにより外接電話１３０が鳴動する。
また、呼出時Ｄ、電話回線１２０からの入力信号を監視するため、回線制御ＩＣ１０２に回線電流が必要となるが、回線制御ＩＣ１０２は、電話回線１２０からの第１のＤＣ回線電流を全て使用できる（Ｄ５、６）。よって、回線制御ＩＣ１０２は、正常に動作する。
【００３９】
最後に、メッセージ再生モードＣで動作する部分の構成について、図１、図２を用いて説明する。メッセージ再生モードＣは、メッセージ再生キーの操作等により、電話通話モードＡから移行するモードである。メッセージ再生時Ｃのために、TELコネクタ１０１とLINEコネクタ１０５および回線制御部１０２とを結ぶ第２の電路１１５上に、ＡＣのメッセージ信号を通過させるコンデンサ１１３を設けている。
【００４０】
メッセージ再生時Ｃでは、ＣＰＵ１１１は、スイッチ１０８をオフし（Ｃ１）、スイッチ１０９とスイッチ１１０をオンする（Ｃ２、Ｃ３）。これにより、外接電話１３０はスイッチ１０９を介して待機電源部１０６に接続される（Ｃ４）。そのため、外接電話１３０は、待機電源部１０６から第２のＤＣ回線電流の供給を受け、正常に動作する。
【００４１】
また、回線制御ＩＣ１０２は、電話回線１２０に接続されるとともに（Ｃ５、Ｃ６）、第２の電路１１５を介して外接電話１３０に接続される（Ｃ７）。そのため、回線制御ＩＣ１０２は、電話回線１２０からＬＩＮＥコネクタ１０１を介して入力される第１のＤＣ回線電流の供給を受け、メッセージデータに基づくＡＣメッセージ信号を生成し、第２の電路１１５を介して外接電話１３０に送出する（Ｃ７）。これにより、ユーザは、音声メッセージを外接電話１３０で聴くことができる。この時、電話回線１２０からの第１のＤＣ回線電流は、コンデンサ１１３で遮断されて外接電話１３０に供給されず、回線制御ＩＣ１０２だけに供給される（Ｃ６）。よって、回線制御ＩＣ１０２は正常に動作する。
【００４２】
従って、回線制御ＩＣ１０２から外接電話１３０へのメッセージ信号の送出を安定して行うことができる。
【００４３】
また、メッセージ再生モードＣは、メッセージ再生キーの操作等により、電話通話モードＡから移行するモードであるため、スイッチ１０９とスイッチ１１０を切替える必要がある。スイッチ１０９、１１０の切替えを同時に指示した場合、スイッチ１１０が先にオンされてからスイッチ１０９がオンされてしまうことがある。この場合、電話回線１２０と待機電源部１０６との電圧差および極性の違いにより、ＡＣメッセージ信号の経路上にノイズが発生するおそれがある。そこで、ＣＰＵ１１１は、スイッチ１０９をオン状態にしてから（Ｃ２）、スイッチ１１０をオン状態にする（Ｃ３）。これにより、待機電源部１０６と外接電話１３０との電流経路が十分確立された後に、第２の電路１１５がオンされる。そのため、切替時にＡＣメッセージ信号の経路上で発生するノイズを抑えることができる。また、小さなノイズはコンデンサ１１３で吸収される。
【００４４】
なお、待機電源部１０６もＡＣメッセージ信号に対する負荷となるが、待機電源部１０６のインピーダンス（２ｋΩ以上）は、外接電話１３０のインピーダンス（約６００Ω）より高い。そのため、ＡＣメッセージ信号が待機電源部１０６によって減衰することは殆ど無い。また、再生される音声メッセージの音量が小さい場合、アンプ１１４によってＡＣメッセージ信号を増幅し、音量を調整することも可能である。
【００４５】
また、本発明の実施形態は、以下の変形例を採用することができる。
【００４６】
（第１変形例）
図３は、本発明の実施形態の第１変形例であるファクシミリ装置の主要部の構成を示すブロック図である。ＣＰＵ１１１の出力ピンの数に限りがある場合、タイマＩＣ１１２を設け、スイッチ１０９とスイッチ１１０とを共通の指示信号で切替えても構わない。このタイマＩＣ１１２は、スイッチ１１０に指示するための第２の指示信号の経路上に設けられ、第２の指示信号を遅延させるＩＣである。このような構成において、ＣＰＵ１１１は、共通の指示信号を出力する。ＣＰＵ１１１から出力された共通の指示信号は、スイッチ１０９に指示するための第１の指示信号と、スイッチ１１０に指示するための第２の指示信号とに分離される。そして、第１の指示信号はスイッチ１０９にそのまま入力されるが、第２の指示信号はタイマＩＣ１１２で所定時間（例えば０.５秒）遅延された後にスイッチ１１０に入力される。
以上のような構成で、ＣＰＵ１１１は、スイッチ１０９をオン状態にしてから（Ｂ２）、スイッチ１１０をオフ状態にする（Ｂ３）。又は、ＣＰＵ１１１は、スイッチ１０９をオン状態にしてから（Ｃ２）、スイッチ１１０をオン状態にする（Ｃ３）。
【００４７】
（第２変形例）
図４は、本発明の実施形態の第２変形例であるファクシミリ装置の主要部の構成を示すブロック図である。この変形例は、第２の電路１１５を図４に示す位置に設けた点で、図１と異なっている。
【図面の簡単な説明】
【００４８】
【図１】本発明の実施形態であるファクシミリ装置の主要部の構成を示すブロック図
【図２】本発明の実施形態であるファクシミリ装置の各動作モードにおける各部の状態一覧を示すテーブル
【図３】本発明の実施形態の第１変形例であるファクシミリ装置の主要部の構成を示すブロック図
【図４】本発明の実施形態の第２変形例であるファクシミリ装置の主要部の構成を示すブロック図
【図５】従来のファクシミリ装置の主要部の構成を示すブロック図
【図６】従来のファクシミリ装置の各動作モードにおける各部の状態一覧を示すテーブル
【符号の説明】
【００４９】
１００…ファクシミリ装置
１０１…ＬＩＮＥコネクタ
１０２…回線制御ＩＣ
１０２Ａ…メモリ
１０３…印字部
１０４…スキャナ
１０６…待機電源部
１０７…呼出電源部
１０８…スイッチ
１０９…スイッチ
１１０…スイッチ
１１１…ＣＰＵ
１１２…タイマＩＣ
１１３…コンデンサ
１１４…アンプ
１１５…電路
１１６…操作部
１２０…電話回線
１３０…外接電話
２００…ファクシミリ装置
２０１…ＬＩＮＥコネクタ
２０２…回線制御ＩＣ
２０２Ａ…メモリ
２０３…印字部
２０４…スキャナ
２０５…ＴＥＬコネクタ
２０６…待機電源部
２０７…呼出電源部
２０８…スイッチ
２０９…スイッチ
２１０…音声合成部
２１０Ａ…メモリ
２１１…ＣＰＵ
２２０…電話回線
２３０…外接電話
【図１】
2009273092.tif 000003
【図２】
2009273092.tif 000004
【図３】
2009273092.tif 000005
【図４】
2009273092.tif 000006
【図５】
2009273092.tif 000007
【図６】
2009273092.tif 000008